(57)【要約】【課題】接着剤の選定に過大な注意を払うことなく保護シートが外力で不用意に剥れることを防止し、しかも、保護シートを容易に剥離可能にすること。【解決手段】保護シート５６には複数の貫通孔が形成されている。このため、保護シート５６の前面に剥離剤を塗布したときには剥離剤が各貫通孔を通して保護シート５６の後面側に流通し、接着層を除去するようになるので、保護シート５６を接着層の除去状態で容易に剥離することが可能になる。従って、保護シート５６の外力による不用意な剥離を防止する点を考慮して接着層の材質を選定する必要性は残るものの保護シート５６の容易な剥離性を考慮して接着層の材質を選定する必要性がなくなるので、接着層の材質の選定に過大な注意を払う必要がなくなる。【選択図】図４
2008017998.tif 000002
【特許請求の範囲】
【請求項１】
表面に保護シートが接着剤を介して接合された構成部品を備え、
前記保護シートには、前記接着剤を除去するための剥離剤が前記保護シートの表面側から裏面側に流通することを許容する複数の貫通孔が形成されていることを特徴とするパチンコ遊技機。
【請求項２】
台島に設置される外枠と、
前記外枠に設けられ、空間状の収納部を有する内枠と、
前記内枠の収納部内に着脱可能に設けられた遊技盤と、
前記遊技盤の前面に設けられ、発射装置から発射された遊技球が転動可能な遊技領域を前記遊技盤の前面に区画するレール部材と、
前記遊技盤の前面および前記レール部材相互間に形成された空間状の挿入口と、
前記遊技盤の遊技領域内に接着剤を介して接合された保護シートと、
前記保護シートに設けられ、前記挿入口を通して前記遊技領域の外部に突出する摘みを備え、
前記摘みは、前記遊技盤の外周面から突出することなく配置され、
前記挿入口は、前記摘みが前記遊技領域の外部から前記挿入口を通して前記遊技領域の内部に折返されることを許容するものであり、
前記保護シートには、前記接着剤を除去するための剥離剤が前記保護シートの前面側から後面側に流通することを許容する複数の貫通孔が形成されていることを特徴とするパチンコ遊技機。
【発明の詳細な説明】
【技術分野】
【０００１】
本発明は、表面に保護シートが接着剤を介して接合された構成部品を有するパチンコ遊技機に関する。
【背景技術】
【０００２】
従来のパチンコ遊技機には保護シートを遊技盤の前面に接着剤を介して貼付し、遊技盤を再利用するときに遊技盤の前面から保護シートを接着剤に抗して剥がすことで遊技盤の前面を簡単に美麗に維持する構成のものがある。
【特許文献１】特開２００４−１６０２５４号公報
【発明の開示】
【発明が解決しようとする課題】
【０００３】
上記従来のパチンコ遊技機の場合、接着剤の接合力が過大であるときには遊技盤を再利用するときに保護シートを遊技盤から剥離し難くなり、接着剤の接合力が過小であるときには遊技中に遊技球が保護シートに擦れることで保護シートが遊技盤から不用意に剥離してしまう。このため、保護シートを遊技盤に適切な接合力で接合することが可能な接着剤を選定する必要があるので、接着剤の選定が難しい問題がある。
【０００４】
本発明は上記事情に鑑みてなされたものであり、その目的は、接着剤の選定に過大な注意を払うことなく保護シートが外力で不用意に剥れることを防止できると共に保護シートを容易に剥離することができるパチンコ遊技機を提供することにある。
【課題を解決するための手段】
【０００５】
１．請求項１記載のパチンコ遊技機の説明
請求項１記載のパチンコ遊技機は表面に接着剤を介して保護シートが接合された構成部品を備えたものであり、保護シートに複数の貫通孔が形成されているところに特徴を有する。これら複数の貫通孔のそれぞれは保護シートの表面側から裏面側に剥離剤が流通することを許容するものであり、剥離剤とは保護シートの接着剤を除去するためのクリーナーを称する。このため、保護シートの表面に剥離剤を塗布したときには剥離剤が複数の貫通孔のそれぞれを通して保護シートの裏面側に流通し、接着剤を除去するようになるので、保護シートを接着剤の除去状態で容易に剥離することが可能になる。従って、保護シートの不用意な剥離を防止する点を考慮して接着剤を選定する必要性は残るものの保護シートの容易な剥離性を考慮して接着剤を選定する必要性がなくなるので、接着剤の選定に過大な注意を払う必要がなくなる。図４の遊技盤３０は構成部品の一例である。この遊技盤３０の表面には保護シート５６が接着剤を介して接合されており、保護シート５６には、図６に示すように、複数の貫通孔６０が形成されている。
２．請求項２記載のパチンコ遊技機の説明
請求項２記載のパチンコ遊技機は［１］外枠〜［７］摘みを備えたところに特徴を有している。
［１］外枠は台島に設置されるものであり、図１の符号１は外枠の一例である。
［２］内枠は外枠に設けられたものであり、空間状の収納部を有している。図２の符合２は内枠の一例であり、内枠２の遊技盤収納部５は収納部に相当する。
［３］遊技盤は内枠の収納部内に着脱可能に設けられたものであり、図２の符号３０は遊技盤の一例である。
［４］レール部材は遊技盤の前面に設けられたものである。このレール部材は発射装置から発射された遊技球が転動可能な遊技領域を遊技盤の前面に区画するものであり、図２の符号１６は発射装置の一例である。図４の符号６１はレール部材の一例であり、外レール３１および内レール３２の集合体を称する。図４の符号３７は遊技領域の一例であり、発射通路３３および転動領域３８の集合体を称する。
［５］挿入口は遊技盤の前面およびレール部材相互間に形成された空間状をなすものであり、図５の符号５８は挿入口の一例である。
［６］保護シートは遊技盤の遊技領域内に接着剤を介して接合されたものであり、保護シートには保護シートの前面側から後面側に剥離剤が流通することを許容する複数の貫通孔が形成されている。このため、「１．請求項１記載のパチンコ遊技機の説明」の欄に示すように、保護シートの不用意な剥離を防止する点を考慮して接着剤を選定する必要性は残るものの保護シートの容易な剥離性を考慮して接着剤を選定する必要性がなくなるので、接着剤の選定に過大な注意を払う必要がなくなる。図４の符号５６は保護シートの一例であり、図６の符号６０は保護シート５６の貫通孔を示している。
［７］摘みは保護シートに設けられたものである。このため、摘みを引いて保護シートを遊技盤の前面から浮かし、保護シートおよび遊技盤相互間に隙間を形成した状態で保護シートの前面に剥離剤を塗布することができる。このため、剥離剤が保護シートおよび遊技盤相互間の隙間を通して接着剤に届き易くなるので、接着剤の除去を行い易くなる。この摘みは遊技盤の外周面から突出することなく挿入口を通して遊技領域の外部に突出しているので、遊技球が摘みに接触することがなくなる。このため、摘みが遊技球からの外力で捲れることがなくなるので、摘みの耐久性が向上する。しかも、遊技盤を内枠の収納部内から取外す場合および遊技盤を内枠の収納部内に取付ける場合に摘みが内枠に引掛ることがなくなるので、保護シートが外力で捲れることがなくなる。この摘みは遊技領域の外部から挿入口を通して遊技領域の内部に折返されることが許容されている。このため、摘みを遊技領域の外部から内部に挿入口を通して折返し、摘みを把持して保護シートを遊技盤から剥離することができるので、摘みをレール部材に邪魔されることなく容易に操作することが可能になる。
【発明を実施するための最良の形態】
【０００６】
【実施例１】
【０００７】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に軸３を中心に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００８】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に軸を中心に相互に回動操作されるものであり、図１は上皿板１２を閉鎖状態で示している。
【０００９】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射ソレノイドが固定されており、発射ハンドル１５が初期位置から時計回り方向に回動操作されたときには発射ソレノイドに駆動電源が与えられることに基づいて発射ソレノイドの出力軸が駆動する。この発射ソレノイドの出力軸には、図２に示すように、発射装置１６が連結されている。この発射装置１６はレール台４に装着されたものであり、打球槌および駆動機構を有している。この駆動機構は発射ソレノイドの駆動力を駆動源として打球槌を操作するものであり、打球槌は駆動機構によって操作されることに基づいて上皿１３内から供給される遊技球を叩き、遊技球をレール台４の発射レールに沿って発射する。
【００１０】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に軸を中心に相互に回動操作されるものであり、図１は窓枠１７を閉鎖状態で示している。この窓枠１７は円形孔状の窓部を有するものであり、窓部の内周面には透明な窓１８が固定されている。
【００１１】
内枠２の遊技盤収納部５内には、図２に示すように、遊技盤ユニット２０が着脱可能に収納されている。この遊技盤ユニット２０は、図３に示すように、遊技盤３０と裏樋８０    と液晶ステー１００と下意匠板１２０と上意匠板１３０と裏樋カバー１４０と表示器ケース１５０と装飾図柄表示器１６０と表示基板ボックス１７０を有するものであり、遊技盤３０〜表示基板ボックス１７０のそれぞれの詳細構成は次の通りである。
１．遊技盤３０の説明
遊技盤３０は透明な板状をなすものであり、ゴムを含有するアクリル樹脂を材料に形成されている。この遊技盤３０は構成部品に相当するものであり、遊技盤３０の前面には、図４に示すように、外レール３１および内レール３２が固定されている。これら外レール３１および内レール３２はレール部材６１を構成するものであり、外レール３１と内レール３２との間には発射通路３３が形成されている。この発射通路３３は遊技盤３０の左端部に位置する円弧状の空間部を称するものであり、発射装置１６が発射した遊技球は発射レールから発射通路３３内に発射通路３３の入口３４から進入し、発射通路３３に沿って円弧状の軌跡を描きながら上昇した後に発射通路３３の出口３５から放出される。
【００１２】
遊技盤３０の前面には、図４に示すように、右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域を称するものであり、発射通路３３および転動領域３８から構成されている。この転動領域３８は遊技領域３７のうち発射通路３３を除く円形状の部分を称するものであり、発射通路３３の出口３５から放出された遊技球が転動可能な最大範囲に相当する。
【００１３】
遊技盤３０の前面には、図４に示すように、飾りレール３９が固定されている。この飾りレール３９は転動領域３８内に配置されたものであり、飾りレール３９と外レール３１との間には球通路４０が形成され、飾りレール３９と内レール３２との間には球通路４１が形成されている。これら球通路４０および球通路４１のそれぞれは発射通路３３から転動領域３８内に放出された遊技球が転動可能なものであり、左方の球通路４１内には複数の釘４２が固定されている。これら各釘４２は遊技球が衝突することに基づいて遊技球の挙動に変化を付与するものであり、上方の球通路４０内には釘４２が固定されていない。遊技盤３０の前面には遊技領域３７の外部に位置して銘板台４３が固定されている。この銘板台４３の前面にはシールが貼付されており、シールには機種名・製造社名・大当り確率・賞品球の払出し個数が記入されている。
【００１４】
遊技盤３０には転動領域３８内に位置して電動始動装置４４および特別電動入賞装置４５が固定されており、転動領域３８内には電動始動装置４４の周辺部および特別電動入賞装置４５の周辺部のそれぞれに位置して複数の釘４２が固定されている。電動始動装置４４は上特別図柄始動口４６および下特別図柄始動口４７を上下２段に有するものであり、上特別図柄始動口４６および下特別図柄始動口４７のそれぞれは上面が開口するポケット状をなしている。これら上特別図柄始動口４６内および下特別図柄始動口４７内のそれぞれには特別図柄始動センサが装着されており、上特別図柄始動口４６内の特別図柄始動センサは遊技球が上特別図柄始動口４６内に入賞したことを検出して主制御回路に特別図柄始動信号を出力し、下特別図柄始動口４７内の特別図柄始動センサは遊技球が下特別図柄始動口４７内に入賞したことを検出して主制御回路に特別図柄始動信号を出力する。この主制御回路は内枠２に固定されたものであり、特別図柄始動信号を検出することに基づいて上皿１３内に設定個数の遊技球を賞品球として払出し、大当りおよび外れの判定処理を行う。
【００１５】
下特別図柄始動口４７には２枚の羽根板４８が装着されており、両羽根板４８は共通の始動口ソレノイドに連結されている。これら両羽根板４８のそれぞれは始動口ソレノイドが断電されることに基づいて垂直な縮小状態になるものであり、図４は両羽根板４８のそれぞれを縮小状態で示している。これら両羽根板４８の縮小状態では両羽根板４８相互間の隙間が上特別図柄始動口４６によって上方から閉鎖され、遊技球が下特別図柄始動口４７内に入賞することが不能になる。これら両羽根板４８のそれぞれは始動口ソレノイドが通電されることに基づいて水平な拡大状態に回動するものであり、両羽根板４８の拡大状態では下特別図柄始動口４７の左右両側部を落下する遊技球が羽根板４８によって捕捉されることに基づいて下特別図柄始動口４７内に入賞可能になる。
【００１６】
特別電動入賞装置４５は前面が開放する特別入賞口および扉４９を有するものであり、扉４９は特別入賞口ソレノイドに連結されている。この扉４９は特別入賞口ソレノイドの断電状態で垂直な閉鎖状態になることに基づいて特別入賞口の前面を遊技球が入賞不能に閉鎖するものであり、図４は扉４９を閉鎖状態で示している。この扉４９は特別入賞口ソレノイドの通電状態で前方へ水平に倒れた開放状態に回動するものであり、扉４９の開放状態では遊技球が扉４９に乗って特別入賞口内に転がり込むことが許容される。この特別入賞口内にはカウントセンサが装着されており、カウントセンサは遊技球が特別入賞口内に入賞したことを検出して主制御回路にカウント信号を出力し、主制御回路はカウント信号を検出することに基づいて上皿１３内に設定個数の遊技球を賞品球として払出す。
【００１７】
遊技盤３０には球通路４１内に位置して普通図柄始動ゲート５０が固定されている。この普通図柄始動ゲート５０は上下面が開口するコ字枠状をなすものであり、球通路４１内を落下する遊技球は普通図柄始動ゲート５０内に普通図柄始動ゲート５０の上面から進入し、普通図柄始動ゲート５０内に進入した遊技球は普通図柄始動ゲート５０内を普通図柄始動ゲート５０の下面から脱出する。この普通図柄始動ゲート５０内には普通図柄始動センサが固定されており、普通図柄始動センサは遊技球が普通図柄始動ゲート５０内を通過したことを検出して主制御回路に普通図柄始動信号を出力する。
【００１８】
遊技盤３０には、図３に示すように、始動口取付孔５１および特別入賞口取付孔５２が形成されており、始動口取付孔５１内には電動始動装置４４の樋５３が挿入され、特別入賞口取付孔５２内には特別電動入賞装置４５の樋５４が挿入されている。樋５３は電動始動装置４４の上特別図柄始動口４６および下特別図柄始動口４７のそれぞれに接続されたものであり、上特別図柄始動口４６内に入賞した遊技球および下特別図柄始動口４７内に入賞した遊技球はいずれも樋５３に沿って後方へ転がる。樋５４は特別電動入賞装置４５の特別入賞口に接続されたものであり、特別入賞口内に入賞した遊技球は樋５４に沿って後方へ転がる。遊技盤３０には特別入賞口取付孔５２の下方に位置してアウト孔５５が形成されている。このアウト孔５５は、図４に示すように、内レール３２の最低部に配置されたものであり、上特別図柄始動口４６と下特別図柄始動口４７と特別入賞口のいずれにも入賞しなかった遊技球は内レール３２に沿ってアウト孔５５内に転がり込む。
【００１９】
遊技盤３０の前面には、図４に示すように、保護シート５６が剥離可能に接合されている。この保護シート５６は遊技盤３０の転動領域３８内に配置されたものであり、転動領域３８内のうち釘４２が打込まれていない非釘部分を前方から保護している。この保護シート５６は無色透明な合成樹脂（例えばポリエチレン系樹脂またはポリエステル系樹脂またはポリプロピレン系樹脂）を材料に形成されたものであり、保護シート５６の後面には接着層が形成されている。この接着層はアクリル系またはゴム系の接着剤を保護シート５６の後面に層状に塗布することから形成されたものであり、保護シート５６は接着層を遊技盤３０の前面に貼付することで遊技盤３０に剥離可能に接合されている。
【００２０】
外レール３１の右側部には、図５に示すように、切欠部５７が形成されている。この切欠部５７の内面と遊技盤３０の前面との間には空間状の挿入口５８が形成されており、挿入口５８内には摘みに相当するタブ５９が挿入されている。このタブ５９は保護シート５６に保護シート５６の外周面から突出するように形成されたものであり、遊技盤３０の前面に貼付されていない。このタブ５９は、図４に示すように、遊技盤３０の外周面から突出することなく挿入口５８内を通して遊技領域３７の外部に突出している。この挿入口５８はタブ５９を遊技領域３７の外部から内部に折返すためのものであり、保護シート５６を剥離するときには、図５に二点鎖線で示すように、タブ５９を遊技領域３７の外部から内部に挿入口５８を通して折返し、タブ５９を把持して保護シート５６を遊技盤３０から剥ぎ取る。
【００２１】
保護シート５６の前面には剥離剤が塗布される。この剥離剤は保護シート５６を遊技盤３０の前面に接合した状態で保護シート５６の前面に塗布されるものであり、保護シート５６の全域には、図６に示すように、複数の貫通孔６０が規則的な配列で形成されている。これら各貫通孔６０は保護シート５６を前後方向に貫通するものであり、保護シート５６の前面から後面に剥離剤が流通することを許容する大きさに設定されている。この剥離剤は保護シート５６の接着層を除去することが可能で遊技盤３０に溶解等の悪影響を与えない液体からなるものであり、接着層の材質に応じて選定される。この場合には保護シート５６にアクリル系の接着剤またはゴム系の接着剤からなる接着層が形成されているので、アクリル系の接着剤またはゴム系の接着剤を除去することが可能な有機溶剤からなる剥離剤（例えば「１．１．１−トリクロルエタン」）が選定される。
２．裏樋８０の説明
裏樋８０は、図３に示すように、下部裏樋８１と左部裏樋８２と右部裏樋８３と上部裏樋８４の４部材を相互に四角枠状に組合せることから構成されたものであり、後方から裏樋８０を通して遊技盤３０に複数のネジを螺合することで遊技盤３０の後面に直接的に接合されている。この裏樋８０の下部裏樋８１には始動口挿入孔８５および特別入賞口挿入孔８６が形成されており、電動始動装置４４の樋５３は始動口挿入孔８５内に挿入され、特別電動入賞装置４５の樋５４は特別入賞口挿入孔８６内に挿入されている。この下部裏樋８１にはアウト口８７が形成されている。このアウト口８７は前後面が開口する筒状をなすものであり、遊技盤３０のアウト孔５５の内周面に嵌合されている。
【００２２】
下部裏樋８１には左下厚さ調整部８８および右下厚さ調整部８９が形成されている。これら左下厚さ調整部８８および右下厚さ調整部８９のそれぞれは遊技盤３０の前後方向の厚さ寸法を厚く調整するものであり、左下厚さ調整部８８は遊技盤３０と共に左下の支え部６および左下のストッパ９相互間で挟持され、右下厚さ調整部８９は遊技盤３０と共に右下の支え部６および右下のストッパ９相互間で挟持されている。上部裏樋８４には左上厚さ調整部９０および右上厚さ調整部９１が形成されている。これら左上厚さ調整部９０および右上厚さ調整部９１のそれぞれは遊技盤３０の前後方向の厚さ寸法を厚く調整するものであり、左上厚さ調整部９０は遊技盤３０と共に左上の支え部６および左上のストッパ７相互間で挟持され、右上厚さ調整部９１は遊技盤３０と共に右上の支え部６および右上のストッパ７相互間で挟持されている。
【００２３】
上部裏樋８４の前面には特別図柄表示器９２と普通図柄表示器９３と保留回数表示器９４が固定されている。特別図柄表示器９２および普通図柄表示器９３のそれぞれは８セグメント形のＬＥＤ表示器から構成されたものである。これら特別図柄表示器９２および普通図柄表示器９３のそれぞれは、図４に示すように、保護シート５６の後方に重ならないように配置されたものであり、特別図柄表示器９２には大当りおよび外れを識別するための特別図柄が表示され、普通図柄表示器９３には当りおよび外れを識別するための普通図柄が表示される。保留回数表示器９４は４個のＬＥＤ９５から構成されたものである。この保留回数表示器９４は保護シート５６の後方に重ならないように配置されたものであり、保留回数表示器９４には特別図柄遊技の保留回数が表示される。
３．液晶ステー１００の説明
液晶ステー１００は、図３に示すように、下部ステー１０１と左部ステー１０２と右部ステー１０３と上部ステー１０４を有する矩形枠状をなすものであり、下部ステー１０１と左部ステー１０２と右部ステー１０３と上部ステー１０４は単一物として一体成形されている。この液晶ステー１００は後方から液晶ステー１００を通して裏樋８０に複数のネジを螺合することで裏樋８０の後面に直接的に接合されたものであり、裏樋８０と共にスペーサ１１０（図２参照）を構成している。
３．下意匠板１２０の説明
下意匠板１２０は前方から下意匠板１２０を通して下部裏樋８１に複数のネジを螺合することで下部裏樋８１の前面に直接的に接合されたものであり、遊技盤３０と下部裏樋８１との間に配置されている。この下意匠板１２０の前面には絵柄が印刷されており、下意匠板１２０の絵柄は前方から遊技盤３０を通して視覚的に認識可能にされている。この下意匠板１２０には、図３に示すように、始動口挿入孔１２１と特別入賞口挿入孔１２２と切欠部１２３が形成されており、電動始動装置４４の樋５３は始動口挿入孔１２１内を通して下部裏樋８１の始動口挿入孔８５内に挿入され、特別電動入賞装置４５の樋５４は特別入賞口挿入孔１２２内を通して下部裏樋８１の特別入賞口挿入孔８６内に挿入され、下部裏樋８１のアウト口８７は切欠部１２３を通して遊技盤３０のアウト孔５５内に嵌合されている。
４．上意匠板１３０の説明
上意匠板１３０は透明な合成樹脂製の板から構成されたものである。この上意匠板１３０は前方から上意匠板１３０を通して上部裏樋８４に複数のネジを螺合することで上部裏樋８４の前面に直接的に接合されたものであり、遊技盤３０と上部裏樋８４との間に配置されている。この上意匠板１３０の前面には絵柄が印刷されており、上意匠板１３０の絵柄は前方から遊技盤３０を通して視覚的に認識可能にされている。この上意匠板１３０には窓部１３１が形成されている。この窓部１３１は絵柄が印刷されていない透明部分を称するものであり、裏樋８０の特別図柄表示器９２と普通図柄表示器９３と保留回数表示器９４はいずれも窓部１３１の後方に配置され、前方から保護シート５６と遊技盤３０と窓部１３１の３者を通して視覚的に認識可能にされている。
５．裏樋カバー１４０の説明
裏樋カバー１４０は後方から裏樋カバー１４０を通して下部裏樋８１に複数のネジを螺合することで下部裏樋８１の後面に直接的に接合されたものであり、裏樋カバー１４０には球排出路が形成されている。この球排出路は電動始動装置４４の樋５３から落下した遊技球および特別電動入賞装置４５の樋５４から落下した遊技球のそれぞれが進入するものであり、樋５３から落下した遊技球および樋５４から落下した遊技球はいずれも球排出路を通して裏樋カバー１４０の外部に排出される。
６．表示器ケース１５０の説明
表示器ケース１５０は下板部１５１と左板部１５２と右板部１５３と上板部１５４と後板部１５５を有する矩形皿状をなすものであり、下板部１５１と左板部１５２と右板部１５３と上板部１５４と後板部１５５の間には空間状の表示器収納部１５６が形成されている。この表示器ケース１５０の下板部１５１には２枚の下プレート１５７が形成され、表示器ケース１５０の上板部１５４には１枚の上プレート１５８が形成されており、各下プレート１５７には後方から複数のネジが挿入され、上プレート１５８には後方から複数のネジが挿入されている。各下プレート１５７に挿入された複数のネジは下部裏樋８１に螺合され、上プレート１５８に挿入された複数のネジは上部裏樋８４に螺合されており、表示器ケース１５０は裏樋８０を介して遊技盤３０の後面に間接的に接合され、液晶ステー１００は、図２に示すように、表示器ケース１５０の前方に表示器収納部１５６から突出するように配置されている。
７．装飾図柄表示器１６０の説明
装飾図柄表示器１６０は表示器ケース１５０の表示器収納部１５６内に収納されたものであり、図３に示すように、表示画面１６１および表示画面１６１を保持する矩形状の画面フレーム１６２を有している。この画面フレーム１６２は液晶ステー１００と表示器ケース１５０の後板部１５５との間で挟持されており、装飾図柄表示器１６０は遊技盤３０の後面に裏樋８０および液晶ステー１００を介して間接的に接合されている。この装飾図柄表示器１６０の画面フレーム１６２には外部から表示器ケース１５０を通して複数のネジが螺合されており、装飾図柄表示器１６０は複数のネジを介して表示器ケース１５０にも接合されている。
【００２４】
装飾図柄表示器１６０の表示画面１６１は下部裏樋８１と左部裏樋８２と右部裏樋８３と上部裏樋８４で囲まれた内部空間および下部ステー１０１と左部ステー１０２と右部ステー１０３と上部ステー１０４で囲まれた内部空間の後方に配置されている。この表示画面１６１は大当りおよび外れを識別する装飾図柄遊技の映像が表示されるものであり、前方から保護シート５６と遊技盤３０と裏樋８０の内部空間と液晶ステー１００の内部空間を通して全体が視覚的に認識可能にされている。
８．表示基板ボックス１７０の説明
表示基板ボックス１７０は、図３に示すように、表示器ケース１５０の後板部１５５に接合されたものである。この表示基板ボックス１７０の内部にはプリント配線基板が収納されており、プリント配線基板には表示制御回路１７１が搭載されている。この表示制御回路１７１はマイクロコンピュータを主体に構成されたものであり、表示画面１６１の表示内容を制御することで表示画面１６１に装飾図柄遊技の映像を表示する。
９．遊技盤ユニット２０の着脱手順の説明
遊技盤ユニット２０は上皿板１２および窓枠１７の双方が開放された状態で前方から内枠２の遊技盤収納部５内に収納されるものであり、遊技盤３０は遊技盤収納部５内に遊技盤ユニット２０の構成部品として収納される。この遊技盤ユニット２０の収納状態では裏樋８０の左下厚さ調整部８８と右下厚さ調整部８９と左上厚さ調整部９０と右上厚さ調整部９１のそれぞれが内枠２の支え部６によって後方から支えられ、左下厚さ調整部８８が遊技盤３０と共に前方のストッパ９と後方の支え部６との間で挟持され、右下厚さ調整部８９が遊技盤３０と共に前方のストッパ９と後方の支え部６との間で挟持されており、残りの各ストッパ７が遊技盤３０に前方から重なるロック状態に回動操作されたときには左上厚さ調整部９０が遊技盤３０と共に前方のストッパ７と後方の支え部６との間で挟持され、右上厚さ調整部９１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部９０と右上厚さ調整部９１のそれぞれを遊技盤３０と共に挟持解除状態にする。
１０．遊技機能の説明
１０−１．普通図柄遊技機能
普通図柄表示器９３には普通図柄が可変停止状態で表示されており、遊技球が普通図柄始動ゲート５０内を通過したときには普通図柄が可変停止状態から可変状態になり、可変状態から可変停止状態になる。この可変状態とは普通図柄を「外れの態様（×）」および「当りの態様（○）」で交互に切換え表示するものであり、普通図柄が可変停止状態で当りの態様になったときには当り遊技が開始され、普通図柄が外れの態様になったときには当り遊技が開始されない。この当り遊技は電動始動装置４４の両羽根板４８を拡大状態に操作し、電動始動装置４４の下特別図柄始動口４７を遊技球が入賞可能な開放状態に切換えることで電動始動装置４４を遊技球が通常状態に比べて容易に入賞することが可能な特別状態にするものであり、両羽根板４８は下特別図柄始動口４７の開放時間が上限値に達するまで拡大状態に保持される。
１０−２．特別図柄遊技機能
特別図柄表示器９２には特別図柄が可変停止状態で表示されており、遊技球が電動始動装置４４の上特別図柄始動口４６内および下特別図柄始動口４７内のいずれかに入賞したときには特別図柄が可変停止状態から可変状態になり、可変状態から可変停止状態になる。この可変状態とは特別図柄を「外れの態様（―）」→「通常大当りの態様（３）」→「特別大当りの態様（７）」→「外れの態様（―）」・・・の順序で循環的に切換え表示するものであり、特別図柄が可変停止状態で通常大当りの態様および特別大当りの態様のいずれかになったときには大当り遊技が開始され、特別図柄が外れの態様になったときには大当り遊技が開始されない。この大当り遊技は特別電動入賞装置４５の扉４９を開放し、特別電動入賞装置４５の特別入賞口内に遊技球が入賞することを許容する遊技者有利の状態を発生させるものであり、扉４９は特別入賞口内に上限値（例えば１０個）の遊技球が入賞する個数条件または開放時間が上限値（例えば３０ｓｅｃ）に達する時間条件が満足されるまで開放状態に保持される。この扉４９の個数条件および時間条件を基準とする開閉動作は大当りラウンドと称されるものであり、大当りラウンドは固定的な設定回数（例えば１５回）だけ繰返される。
１０−３．装飾図柄遊技機能
装飾図柄表示器１６０の表示画面１６１には装飾図柄の左列の図柄要素と中列の図柄要素と右列の図柄要素が変動停止状態で表示されており、遊技球が電動始動装置４４の上特別図柄始動口４６内および下特別図柄始動口４７内のいずれかに入賞したときには３列の図柄要素のそれぞれが変動停止状態から変動状態になり、変動状態から変動停止状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。
【００２５】
装飾図柄が変動停止状態で通常大当りの組合せおよび特別大当りの組合せのいずれかになったときには大当り遊技が開始され、装飾図柄が通常大当りの組合せおよび特別大当りの組合せのいずれにもならなかったときには大当り遊技が開始されない。通常大当りの組合せとは左列の図柄要素と中列の図柄要素と右列の図柄要素が相互に同一な組合せを称するものであり、通常大当りの組合せには「２２２」「４４４」「６６６」「８８８」の４通りが設定されている。特別大当りの組合せとは左列の図柄要素と中列の図柄要素と右列の図柄要素が相互に同一な組合せを称するものであり、特別大当りの組合せには「１１１」「３３３」「５５５」「７７７」の４通りが設定されている。この装飾図柄の変動停止状態での組合せは特別図柄の可変停止状態での態様に応じて設定されるものであり、特別図柄が通常大当りの態様で可変停止するときには装飾図柄が通常大当りの組合せで変動停止し、特別図柄が特別大当りの態様で可変停止するときには装飾図柄が特別大当りの組合せで変動停止し、特別図柄が外れの態様で可変停止するときには装飾図柄が通常大当りの組合せおよび特別大当りの組合せのいずれとも相違する外れの組合せで変動停止する。
１０−４．保留機能
装飾図柄遊技を即座に開始することができない装飾図柄遊技中に遊技球が上特別図柄始動口４６内および下特別図柄始動口４７内のいずれかに入賞したり、あるいは、装飾図柄遊技を即座に開始することができない大当り遊技中に遊技球が上特別図柄始動口４６内および下特別図柄始動口４７内のいずれかに入賞したときには特別図柄遊技および装飾図柄遊技のそれぞれが保留される。この保留回数には上限値（例えば４回）が設定されており、保留回数が上限値に到達した状態で遊技球が上特別図柄始動口４６内および下特別図柄始動口４７内のいずれかに入賞したときには特別図柄遊技および装飾図柄遊技のそれぞれが保留されない。保留回数表示器９４は特別図柄遊技および装飾図柄遊技のそれぞれの保留回数を表示するものであり、保留回数が「１」であるときには１個のＬＥＤ９５が点灯し、保留回数が「２」であるときには２個のＬＥＤ９５が点灯し、保留回数が「３」であるときには３個のＬＥＤ９５が点灯し、保留回数が「４」であるときには４個のＬＥＤ９５が点灯する。
１０−５．確率変動機能
確率変動モードは大当りを確率変動モードの無効状態に比べて高い一定確率で判定する高確率モードである。この確率変動モードは特別図柄が特別大当りの態様で停止表示されることに基づいて有効化されるものであり、特別図柄が通常大当りの態様で停止表示されることに基づいて無効化される。この確率変動モードの有効状態では当りの判定確率が確率変動モードの無効状態に比べて高められ、電動始動装置４４の両羽根板４８の拡大時間が確率変動モードの無効状態に比べて延長されており、確率変動モードの無効状態に比べて多数個の遊技球が電動始動装置４４の下特別図柄始動口４７内に入賞可能になる。
【００２６】
上記実施例１によれば次の効果を奏する。
保護シート５６に複数の貫通孔６０を形成した。このため、保護シート５６の前面に剥離剤を塗布したときには剥離剤が複数の貫通孔６０のそれぞれを通して保護シート５６の後面側に流通し、接着層を除去するようになるので、保護シート５６を接着層の除去状態で容易に剥離することが可能になる。従って、保護シート５６の外力による不用意な剥離を防止する点を考慮して接着層の材質を選定する必要性は残るものの保護シート５６の容易な剥離性を考慮して接着層の材質を選定する必要性がなくなるので、接着層の材質の選定に過大な注意を払う必要がなくなる。しかも、保護シート５６にタブ５９を設けたので、タブ５９を手前側に引いて保護シート５６を遊技盤３０の前面から浮かし、遊技盤３０および保護シート５６相互間に隙間を形成した状態で保護シート５６の前面に剥離剤を塗布することができる。このため、剥離剤が遊技盤３０および保護シート５６相互間の隙間を通して保護シート５６の接着層に届き易くなるので、接着層の除去を行い易くなる。
【００２７】
タブ５９を遊技盤３０の外周面から突出することなく挿入口５８を通して遊技領域３７の外部に突出させたので、遊技球がタブ５９に接触することがなくなる。このため、タブ５９が遊技球からの外力で捲れることがなくなるので、タブ５９の耐久性が向上する。しかも、遊技盤３０を内枠２の遊技盤収納部５内から取外す場合および遊技盤３０を内枠２の遊技盤収納部５内に取付ける場合にタブ５９が内枠２に引掛ることがなくなるので、保護シート５６が外力で捲れることがなくなる。さらに、タブ５９が遊技領域３７の外部から挿入口５８を通して遊技領域３７の内部に折返されることを許容した。このため、タブ５９を遊技領域３７の外部から内部に挿入口５８を通して折返し、タブ５９を把持して保護シート５６を遊技盤３０から剥離することができるので、タブ５９を外レール３１に邪魔されることなく容易に操作することが可能になる。
【００２８】
上記実施例１においては、遊技盤３０をポリカーボネート樹脂あるいはゴムを含有しないアクリル樹脂から形成しても良い。
上記実施例１においては、透明な合成樹脂製の遊技盤３０に換えてベニヤ製の遊技盤を使用しても良い。
【００２９】
上記実施例１においては、下皿板１０の前面と下皿１１の前面と上皿板１２の前面と上皿１３の前面と窓枠１７の前面の少なくとも一つに複数の貫通孔が形成された保護シートを接着剤を介して接合し、保護シートを剥離するときに保護シートの前面に剥離剤を塗布することで接着剤を除去するようにしても良い。この構成の場合、保護シートに保護シートの外周面から突出する摘みを形成し、摘みを手前側に引いて保護シートを被接着物から浮かした状態で保護シートの前面に剥離剤を塗布しても良い。
【００３０】
上記実施例１においては、剥離剤としてトルエンおよびメチルアルコール等の有機溶剤を用いても良い。要は保護シート５６の接着層を除去することが可能であって遊技盤３０に溶解等の悪影響を与えない剥離剤を選定すれば良い。
【図面の簡単な説明】
【００３１】
【図１】実施例１を示す図（パチンコ遊技機の全体構成を示す斜視図）
【図２】遊技盤ユニットおよび内枠の両者を分解状態で示す斜視図
【図３】遊技盤ユニットそのものを分解状態で示す斜視図
【図４】遊技盤を保護シートの接合状態で示す前面図
【図５】（ａ）はタブを示す前面図、（ｂ）はＸｂ線に沿う断面図
【図６】Ｘａ部を拡大して示す図
【符号の説明】
【００３２】
１は外枠、２は内枠、５は遊技盤収納部、１６は発射装置、３０は遊技盤、３７は遊技領域、５６は保護シート、５８は挿入口、５９はタブ、６０は貫通孔、６１はレール部材を示している。
【図１】
2008017998.tif 000003
【図２】
2008017998.tif 000004
【図３】
2008017998.tif 000005
【図４】
2008017998.tif 000006
【図５】
2008017998.tif 000007
【図６】
2008017998.tif 000008